(57)【要約】【課題】単一のライトペンで複数種類のライトペンの機能を発揮し得るようにする。【解決手段】ライトペン本体１の一端面２に形成された光照射窓から白色光を照射するＬＥＤ４と、乾電池５がライトペン本体内に配置される。回転板１０が、一端面に支軸９のまわりに回転可能に取り付けられる。回転板は、光照射窓を被覆するような寸法および形状を有し、光照射窓と整合する位置に形成された第１の孔１１と、第１の孔が光照射窓と重なり合う第１の位置から所定角度回転した第２の位置において光照射窓と整合する位置に形成された第２の孔とを備える。第１および第２の孔の一方には青色フィルターが取り付けられる。ライトペン本体および回転板の少なくとも一方に設けられ、回転板を第１の位置または第２の位置に選択的に位置決めするための位置決め機構１６〜１９を備える。【選択図】図２
2004283218.tif 000002
【特許請求の範囲】
【請求項１】
両端開口が閉じられた実質上円筒状のライトペン本体と、
前記ライトペン本体の一方の端面に形成された光照射窓と、
前記ライトペン本体内に収容され、前記光照射窓から光を照射する光源と、
前記ライトペン本体内に配置され、前記光源に電力を供給する電源と、
前記ライトペン本体に備えられ、前記光源のオン／オフを切り替えるスイッチと、
前記ライトペン本体の一方の端面の外側に配置され、選択的に、前記光照射窓からの照射光をそのまま通過させ、またはその照射光にフィルターをかけ、またはその照射光の光量を低減させるための照射光調節機構とを備えていることを特徴とするライトペン。
【請求項２】
前記照射光調節機構は、
前記ライトペン本体の一方の端面の外側において、支軸のまわりに、前記光源の光軸に対し垂直な平面内で回転可能に取り付けられた回転板と、
前記ライトペン本体および前記回転板の少なくとも一方に設けられ、前記回転板を所定の回転位置に位置決めする位置決め機構とを備えており、
前記回転板は、前記光照射窓からの照射光を遮断し得る寸法および形状を有するとともに、前記光照射窓と整合する位置に形成された第１の孔と、前記第１の孔が前記光照射窓と重なり合う第１の位置から所定の角度回転した第２の位置において前記光照射窓と整合する位置に形成された第２の孔とを備え、前記第１および第２の孔の一方にはフィルターが取り付けられており、
前記位置決め機構は、前記回転板を前記第１の位置または前記第２の位置に選択的に位置決めするようになっていることを特徴とする請求項１に記載のライトペン。
【請求項３】
前記光照射窓は前記ライトペン本体の一方の端面の中心に形成され、前記回転板は前記ライトペン本体の一方の端面の半径より大きい直径をもつ円板からなり、前記回転板の支軸は前記回転板の中心を通り、かつ前記ライトペン本体の一方の端面の中心からずれた位置に配置され、前記第１および第２の孔は前記回転板における同一円周上に配置されており、前記ライトペン本体の一方の端面側の端部には、外側から鏡筒が嵌め込み接続されており、前記鏡筒は、前記ライトペン本体側端部の周壁に前記回転板における前記一方の端面の外周から突出する部分を収容する開口を備え、前記ライトペン本体と反対側の開口端面に集光レンズおよび光拡散板および透明カバーガラスのいずれか１つを備えていることを特徴とする請求項２に記載のライトペン。
【請求項４】
前記光源は、白色または自然色の光を照射するようになっており、前記フィルターは、青色フィルターまたは赤色フィルターからなっていることを特徴とする請求項２または請求項３に記載のライトペン。
【請求項５】
前記回転板は、さらに、前記第１の位置から所定の角度回転した第３の位置において前記光照射窓と整合する位置に形成された第３の孔を備え、前記第２の孔には前記フィルターが取り付けられ、前記第３の孔には第２のフィルターまたは光拡散板が取り付けられ、前記位置決め機構は、前記回転板を前記第１の位置または前記第２の位置または前記第３の位置に選択的に位置決めするようになっていることを特徴とする請求項２または請求項３に記載のライトペン。
【請求項６】
前記光源は、白色または自然色の光を照射するようになっており、前記フィルターおよび前記第２のフィルターは、赤色フィルターおよび青色フィルターからなっていることを特徴とする請求項５に記載のライトペン。
【請求項７】
前記照射光調節機構は、
前記ライトペン本体の一方の端面の外側に設けられた支持部と、
前記支持部に支持された支軸のまわりに、前記光源の光軸を含む平面内で回転可能に取り付けられた回転体と、
前記支持部および前記回転体の少なくとも一方に設けられ、前記回転体を所定の回転位置に位置決めする位置決め機構とを備えており、
前記回転体は、前記光照射窓からの照射光を遮ることができる形状および寸法を有するとともに、前記光軸と整合する位置に貫通形成された第１の光路と、前記第１の光路が前記光軸と整合する第１の位置から所定の角度回転した第２の位置において前記光軸と整合する位置に貫通形成された第２の光路とを備え、前記第１および第２の光路の一方にはフィルターが取り付けられており、
前記位置決め機構は、前記回転体を前記第１の位置または前記第２の位置に選択的に位置決めするようになっていることを特徴とする請求項１に記載のライトペン。
【請求項８】
前記光源は、白色または自然色の光を照射するようになっており、前記フィルターは、青色フィルターまたは赤色フィルターからなっていることを特徴とする請求項７に記載のライトペン。
【請求項９】
前記回転体は、前記第１の位置から所定の角度回転した第３の位置において前記光軸と整合する位置に貫通形成された第３の光路をさらに備え、前記第２の光路には前記フィルターが取り付けられ、前記第３の光路には第２のフィルターまたは光拡散板が取り付けられ、前記位置決め機構は、前記回転体を前記第１の位置または前記第２の位置または前記第３の位置に選択的に位置決めするようになっていることを特徴とする請求項７に記載のライトペン。
【請求項１０】
前記光源は、白色または自然色の光を照射するようになっており、前記フィルターおよび前記第２のフィルターは、赤色フィルターおよび青色フィルターからなっていることを特徴とする請求項９に記載のライトペン。
【請求項１１】
前記照射光調節機構は、
前記ライトペン本体の一方の端面の外側において、前記光源の光軸に対し垂直な平面内でスライド運動可能に配置されたスライド板と、
前記一方の端面に固定され、前記スライド板を案内するガイドと、
前記ライトペン本体および前記スライド板の少なくとも一方に設けられ、前記スライド板を所定のスライド位置に位置決めする位置決め機構と、を備えており、
前記スライド板は、前記光照射窓からの照射光を遮ることができる寸法を有するとともに、前記光照射窓と整合する位置に形成された第１の孔と、前記第１の孔が前記光照射窓と重なり合う第１の位置から所定の距離スライド運動した第２の位置において前記光照射窓と整合する位置に形成された第２の孔とを備え、前記第１および第２の孔の一方にはフィルターが取り付けられており、
前記位置決め機構は、前記回転板を前記第１の位置または前記第２の位置に選択的に位置決めするようになっていることを特徴とするライトペン。
【請求項１２】
前記スライド板は、さらに、前記第１の位置から所定の距離スライド運動した第３の位置において前記光照射窓と整合する位置に形成された第３の孔を備え、前記第２の孔には前記フィルターが取り付けられ、前記第３の孔には第２のフィルターまたは光拡散板が取り付けられ、前記位置決め機構は、前記回転板を前記第１の位置または前記第２の位置または前記第３の位置に選択的に位置決めするようになっていることを特徴とする請求項１１に記載のライトペン。
【請求項１３】
前記位置決め機構はクリック・ストップ機構からなっていることを特徴とする請求項２〜請求項１２のいずれかに記載のライトペン。
【発明の詳細な説明】
【０００１】
【発明が属する技術分野】
本発明は、ライトペン、とりわけ、眼科医が診察に際して使用するのに適したライトペンに関するものである。
【０００２】
【従来の技術】
従来、眼科医が目視によって簡単な診察を行う場合に、白色や自然色の光を照射するライトペンが使用されており、このライトペンによれば、患部を自然な状態で観察することができる。また、このライトペンの光照射部に赤色のキャップを装着してライトペンから赤色光を照射することにより、眼位・視野検査に使用することもなされている。
また、蛍光液を用いた患部の観察に際しては、細隙灯顕微鏡が使用され、細隙灯から青色光が患部に照射されて、顕微鏡による患部の観察がなされている。（例えば、特許文献１参照。）
【０００３】
ところが、赤色光が必要とされる時に、その都度、白色光または自然色光を照射するライトペンに赤色のキャップを装着するのは不便であり、また眼科医が、患者の状態に応じて、細隙灯顕微鏡を用いることなく、目視により蛍光液を使用して簡易的に患部を観察したい場合があり、この際、手で所望の位置に保持することができる適当な簡易な照明源がなく不便を生じていた。
【０００４】
【特許文献１】
特開平６−２７７１７９号公報
【０００５】
【発明が解決しようとする課題】
したがって、本発明の課題は、単一のライトペンで複数種類のライトペンの機能を発揮し得るようにすることにある。
【０００６】
【課題を解決するための手段】
上記課題を解決するため、本発明は、両端開口が閉じられた実質上円筒状のライトペン本体と、前記ライトペン本体の一方の端面に形成された光照射窓と、前記ライトペン本体内に収容され、前記光照射窓から光を照射する光源と、前記ライトペン本体内に配置され、前記光源に電力を供給する電源と、前記ライトペン本体に備えられ、前記光源のオン／オフを切り替えるスイッチと、前記ライトペン本体の一方の端面の外側に配置され、選択的に、前記光照射窓からの照射光をそのまま通過させ、またはその照射光にフィルターをかけ、またはその照射光の光量を低減させるための照射光調節機構とを備えていることを特徴とするライトペンを構成したものである。
【０００７】
上記構成において、好ましくは、前記照射光調節機構は、前記ライトペン本体の一方の端面の外側において、支軸のまわりに、前記光源の光軸に対し垂直な平面内で回転可能に取り付けられた回転板と、前記ライトペン本体および前記回転板の少なくとも一方に設けられ、前記回転板を所定の回転位置に位置決めする位置決め機構とを備えており、前記回転板は、前記光照射窓からの照射光を遮断し得る寸法および形状を有するとともに、前記光照射窓と整合する位置に形成された第１の孔と、前記第１の孔が前記光照射窓と重なり合う第１の位置から所定の角度回転した第２の位置において前記光照射窓と整合する位置に形成された第２の孔とを備え、前記第１および第２の孔の一方にはフィルターが取り付けられており、前記位置決め機構は、前記回転板を前記第１の位置または前記第２の位置に選択的に位置決めするようになっている。
さらに好ましくは、前記光照射窓は前記ライトペン本体の一方の端面の中心に形成され、前記回転板は前記ライトペン本体の一方の端面の半径より大きい直径をもつ円板からなり、前記回転板の支軸は前記回転板の中心を通り、かつ前記ライトペン本体の一方の端面の中心からずれた位置に配置され、前記第１および第２の孔は前記回転板における同一円周上に配置されており、前記ライトペン本体の一方の端面側の端部には、外側から鏡筒が嵌め込み接続されており、前記鏡筒は、前記ライトペン本体側端部の周壁に前記回転板における前記一方の端面の外周から突出する部分を収容する開口を備え、前記ライトペン本体と反対側の開口端面に集光レンズおよび光拡散板および透明カバーガラスのいずれか１つを備えている。ここで、光拡散板には、光拡散機能をもつフィルター、および光拡散板とフィルターとを重ね合わせたものが含まれるものとする。
より好ましくは、前記光源は、白色または自然色の光を照射するようになっており、前記フィルターは、青色フィルターまたは赤色フィルターからなっている。
前記回転板は、さらに、前記第１の位置から所定の角度回転した第３の位置において前記光照射窓と整合する位置に形成された第３の孔を備え、前記第２の孔には前記フィルターが取り付けられ、前記第３の孔には第２のフィルターまたは光拡散板が取り付けられ、前記位置決め機構は、前記回転板を前記第１の位置または前記第２の位置または前記第３の位置に選択的に位置決めするようになっていることが、より好ましい。
この場合、前記光源は、白色または自然色の光を照射するようになっており、前記フィルターおよび前記第２のフィルターは、赤色フィルターおよび青色フィルターからなっていることが好ましい。
【０００８】
また好ましくは、前記照射光調節機構は、前記ライトペン本体の一方の端面の外側に設けられた支持部と、前記支持部に支持された支軸のまわりに、前記光源の光軸を含む平面内で回転可能に取り付けられた回転体と、前記支持部および前記回転体の少なくとも一方に設けられ、前記回転体を所定の回転位置に位置決めする位置決め機構とを備えており、前記回転体は、前記光照射窓からの照射光を遮ることができる形状および寸法を有するとともに、前記光軸と整合する位置に貫通形成された第１の光路と、前記第１の光路が前記光軸と整合する第１の位置から所定の角度回転した第２の位置において前記光軸と整合する位置に貫通形成された第２の光路とを備え、前記第１および第２の光路の一方にはフィルターが取り付けられており、前記位置決め機構は、前記回転体を前記第１の位置または前記第２の位置に選択的に位置決めするようになっている。
この場合、前記光源は、白色または自然色の光を照射するようになっており、前記フィルターは、青色フィルターまたは赤色フィルターからなっている。
さらに好ましくは、前記回転体は、前記第１の位置から所定の角度回転した第３の位置において前記光軸と整合する位置に貫通形成された第３の光路をさらに備え、前記第２の光路には前記フィルターが取り付けられ、前記第３の光路には第２のフィルターまたは光拡散板が取り付けられ、前記位置決め機構は、前記回転体を前記第１の位置または前記第２の位置または前記第３の位置に選択的に位置決めするようになっている。
この場合、前記光源は、白色または自然色の光を照射するようになっており、前記フィルターおよび前記第２のフィルターは、赤色フィルターおよび青色フィルターからなっていることが好ましい。
【０００９】
また好ましくは、前記照射光調節機構は、前記ライトペン本体の一方の端面の外側において、前記光源の光軸に対し垂直な平面内でスライド運動可能に配置されたスライド板と、前記一方の端面に固定され、前記スライド板を案内するガイドと、前記ライトペン本体および前記スライド板の少なくとも一方に設けられ、前記スライド板を所定のスライド位置に位置決めする位置決め機構と、を備えており、前記スライド板は、前記光照射窓からの照射光を遮ることができる寸法を有するとともに、前記光照射窓と整合する位置に形成された第１の孔と、前記第１の孔が前記光照射窓と重なり合う第１の位置から所定の距離スライド運動した第２の位置において前記光照射窓と整合する位置に形成された第２の孔とを備え、前記第１および第２の孔の一方にはフィルターが取り付けられており、前記位置決め機構は、前記回転板を前記第１の位置または前記第２の位置に選択的に位置決めするようになっている。
前記スライド板は、さらに、前記第１の位置から所定の距離スライド運動した第３の位置において前記光照射窓と整合する位置に形成された第３の孔を備え、前記第２の孔には前記フィルターが取り付けられ、前記第３の孔には第２のフィルターまたは光拡散板が取り付けられ、前記位置決め機構は、前記回転板を前記第１の位置または前記第２の位置または前記第３の位置に選択的に位置決めするようになっていることが、より好ましい。
また好ましくは、前記位置決め機構はクリック・ストップ機構からなっている。
【００１０】
【発明の実施の形態】
以下、添付図面を参照して本発明の好ましい実施例について説明する。この実施例は、眼科医が患部を観察するのに特に適したものである。図１は、本発明の１実施例によるライトペンの側面図であり、図２は、図１のＸ−Ｘ線に沿った断面図である。図１および図２に示されるように、本発明によるライトペンは、両端開口が閉じられた実質上円筒状のライトペン本体１を備えている。ライトペン本体１は、使用者（眼科医）が片手で容易に握り、一定の位置に保持することができる寸法を有している。
【００１１】
ライトペン本体１の一方の端面２には光照射窓３が形成されている。この実施例では、光照射窓３は、ライトペン本体１の一方の端面２の中心に形成されている。また、ライトペン本体１内には、光照射窓３から白色または自然色の光を照射する光源４が収容されている。この実施例では、光源４はＬＥＤからなっており、ＬＥＤ４は、ライトペン本体１の内側から先端部が光照射窓３に嵌め込まれた状態でライトペン本体１の一方の端面２に固定されている。ライトペン本体１内であって、他方の端面側には、さらに、ＬＥＤ４に電力を供給する電源、この実施例では、単４乾電池（１．５Ｖ）５が備えられている。ライトペン本体１の他方の端面側部分は、本体１の他の部分と螺合するキャップ２０として形成されており、このキャップ２０を手で捻って取り外すことにより、乾電池５を簡単に交換し得るようになっている。
【００１２】
図２からわかるように、ライトペン本体１内には、回路基板６が収容されており、回路基板６上には、昇圧回路７が設けられ、乾電池５から供給された電圧が所定の電圧まで昇圧された後、ＬＥＤ４に供給されるようになっている。回路基板６には、さらに、ＬＥＤ４のオン／オフを切り替えるスイッチ、この実施例では、二安定押しボタンスイッチ８が備えられ、スイッチ８の押しボタン部分は、ライトペン本体１の側壁に形成された開口から外部に突出し、ライトペンの外部からスイッチ８の操作が可能となっている。
【００１３】
本発明のライトペンは、また、ライトペン本体１の一方の端面２の外側に配置され、選択的に、光照射窓３からの照射光をそのまま通過させ、またはその照射光にフィルターをかけ、またはその照射光の光量を低減させるための照射光調節機構を備えている。この実施例では、照射光調節機構は、ライトペン本体１の一方の端面２の外側において、支軸９のまわりに、ＬＥＤ４の光軸に対し垂直な平面内で回転可能に取り付けられた回転板１０と、ライトペン本体１および回転板１０の少なくとも一方に設けられ、回転板１０を所定の回転位置に位置決めする位置決め機構とを備えている。
【００１４】
図３は、図１のＹ−Ｙ線に沿った断面図であり、図４は、回転板の取り付け構造を示す拡大断面図である。図３および図４に示されるように、回転板１０はライトペン本体の一方の端面２の半径より大きい（光照射窓３からの照射光を遮ることができる）直径をもつ円板からなり、回転板１０の支軸９は回転板１０の中心を通り、かつライトペン本体１の一方の端面２の中心からずれた位置に配置されている。なお、回転板１０の寸法および形状は、この実施例に限定されるものではなく、光照射窓３からの照射光を遮ることができる形状および寸法とすることができる。
【００１５】
図３からわかるように、回転板１０は、光照射窓３と整合する位置に形成された第１の孔１１と、第１の孔１１が光照射窓３と重なり合う第１の位置（図３（Ａ）参照）から（この実施例では時計回りに）所定の角度回転した第２の位置（図３（Ｂ）参照）において光照射窓３と整合する位置に形成された第２の孔１２と、第１の位置から（この実施例では反時計回りに）所定の角度回転した第３の位置（図３（Ｃ）参照）において光照射窓３と整合する位置に形成された第３の孔１３とを備えている。図３から明らかなように、この実施例では、第１〜第３の孔１１〜１３は、回転板９における同一円周上に並んで配置される。そして、回転板９の第２の孔１２には青色フィルターが取り付けられ、第３の孔１３には、赤色フィルターまたは光拡散板が取り付けられている。この場合、光拡散板として、光拡散機能をもつフィルター、または光拡散板とフィルターとを重ね合わせたものを使用することもできる。
この実施例では、回転板１０に３つの孔が備えられるが、回転板１０は少なくとも２つの孔を備えていればよい。回転板１０が２つの孔を備えている構成とした場合には、第１の孔１１には何も取り付けられず、第２の孔１２に青色フィルター、赤色フィルターおよび光拡散板のいずれか１つが取り付けられる。
【００１６】
ライトペン本体１および回転板１０の少なくとも一方には、回転板１０を第１の位置または第２の位置または第３の位置に選択的に位置決めするための位置決め機構が備えられている。この実施例では、位置決め機構は、次のように構成されるクリック・ストップ機構からなっている。すなわち、図３および図４に示されるように、回転板１０には、ライトペン本体１の一方の端面２との対向面から対向面に垂直に内側にのびる穴１６が設けられ、一方、ライトペン本体１の一方の端面２の対向面における、回転板１０が第１〜第３の位置に位置するときの回転板１０の穴１６に対応する位置には、それぞれ、皿状の凹部１９が設けられる。そして、回転板１０の穴１６には、コイルバネ１７および金属製ボール１８が収容され、ボール１８は、コイルバネ１７の弾性力によって、常に、穴１６からその一部を突出させ、ライトペン本体１の一方の端面２に向けて押しつけられるようになっている。こうして、回転板１０が、支軸９のまわりに回転し、第１〜第３の位置のいずれかに達すると、コイルバネ１７の弾性力によって付勢されたボール１８の一部が、対応するライトペン本体１の一方の端面２の凹部１９内に嵌り込み、それによって、回転板１０は、第１〜第３の位置に選択的に位置決めされる。
なお、この実際例では、コイルバネ１７およびボール１８を収容するための穴１６が回転板１０側に設けられる一方、ボール１８を受ける凹部１９がライトペン本体１側に設けられるが、これと逆に、コイルバネ１７およびボール１８を収容するための穴１６をライトペン本体１側に設ける一方、ボール１８を受ける凹部１９を回転板側に設ける構成とすることもできることは言うまでもない。
さらに、図示はされないが、この実施例では、回転板１０が、第２の位置からさらに時計回りに回転することを防止し、かつ第３の位置からさらに反時計回りに回転することを防止するストッパが設けられている。
【００１７】
さらに、ライトペン本体１の一方の端面２側の端部には、外側から鏡筒１４が嵌め込み接続されている。鏡筒１４は、ライトペン本体１側端部の周壁に回転板１０におけるライトペン本体１の外周から突出する部分１０ａを収容する開口を備えており、ライトペン本体１と反対側の開口端面に集光レンズ１５を備えている。この実施例では、鏡筒１４には集光レンズが備えられるが、光源の照射光の特性や使用目的に応じて、集光レンズの代わりに、光拡散板または透明ガラス板を備えるようにしてもよい。
【００１８】
本発明によるライトペンの使用時には、押しボタンスイッチ８が押されてＬＥＤが点灯される。そして、患部の自然な状態での観察がなされるときは、回転板１０における鏡筒１４から外側に突出する部分１０ａが手で操作されて回転板１０が回転せしめられ、回転板１０は第１の位置に位置決めされる。このとき、光照射窓３は第１の孔１１と重なり合っているので、ライトペンからは、白色または自然色の光が照射される。また、蛍光液を用いた患部の観察がなされるときは、回転板１０は第２の位置に位置決めされる。このとき、光照射窓３は第２の孔１２と重なり合っているので、ライトペンからは、青色の光が照射される。また、回転板１０が第３の位置に位置決めされと、光照射窓３は第３の孔１３と重なり合うので、第３の孔１３に赤色フィルターが取り付けられている場合には、ライトペンから赤色の光が照射され、眼位・視野検査に使用され得る一方、第３の孔１３に光拡散板が取り付けられている場合には、ライトペンからは、光量が低減されて患者が眩しく感じない程度の白色光が照射され、固視の移動に使用され得る。
【００１９】
こうして、本発明のライトペンによれば、ライトペンに備えられた回転板を回転させることにより、１本のライトペンから、患部の自然な状態での観察のための白色光または自然色光、および患部の蛍光液を用いた観察のための青色光または眼位・視野検査のための赤色光または固視の移動のための光を選択的に照射することができる。したがって、眼科医は、単一のライトペンを用いて、簡便に患部の観察を行うことができる。
【００２０】
この実施例では、青色光、赤色光および光量の低減された白色光を得るために、光源として白色または自然色の光を照射するものが使用され、青色フィルター、赤色フィルターおよび光拡散板が使用されているが、光源の種類およびフィルター等の種類はこれに限定されるものではなく、ライトペンの用途に応じて適当な光源およびフィルターを使用することができる。
例えば、光源として紫外線を照射するものを使用し、回転板の第１の孔には何も取り付けず、第２の孔に紫外線を当てると発光するフィルターを取り付ける構成とすれば、回転板を第１の位置（第１の孔が光照射窓と整合する）に位置決めすることにより、ライトペンから紫外線を照射し、第２の位置（第２の孔が光照射窓と整合する）に位置決めすることにより、フィルターの発光色の光をライトペンから照射することが可能となる。こうして、歯科医がこのライトペンを使用し、紫外線硬化樹脂を用いた治療のための簡易型紫外線照射源、または目視による患部観察のための照明源として用いることができる。
【００２１】
図５は、本発明の別の実施例によるライトペンの先端部の側面図であり、図６（Ａ）は図５のライトペン先端部の周壁が取り除かれた状態の側面図であり、図６（Ｂ）は図６（Ａ）のＺ−Ｚ線に沿った断面図であり、図６（Ｃ）はクリック・ストップ機構の一部を構成する凹部の位置を示した図である。この実施例は、図１〜図４に示された実施例と照射光調節機構の構成が相違するだけである。したがって、図５および図６において、図１〜図４に示されたものと同一の構成要素には同一の番号を付して詳細な説明を省略する。
図５および図６を参照して、照射光調節機構は、ライトペン本体１の一方の端面２の外側に設けられた支持部５０と、支持部５０に支持された支軸５１のまわりに、ＬＥＤ（光源）４の光軸５２を含む平面内で回転可能に取り付けられた回転体５３と、支持部５０および回転体５３の少なくとも一方に設けられ、回転体５３を所定の回転位置に位置決めする位置決め機構とを備えている。この実施例では、支持部５０は、ライトペン本体１の一方の端面２の外側に突設された板状体からなっている。
【００２２】
回転体５３は、光照射窓３からの照射光を遮ることができる形状および寸法を有していればよいが、この実施例では、光軸５２を遮る位置に配置され、光照射窓３の直径より大きい厚さをもつ円柱状本体５３ａと、円柱状本体５３ａの一方の端面に連続するより大きい径の操作部５３ｂとからなっている。そして、円柱状本体５３ａは、光軸５２と整合する位置に貫通形成された第１の光路５４と、第１の光路５４が光軸５２と整合する第１の位置から（この実施例ではライトペン前方に向かって）所定の角度（この実施例では６０°）回転した第２の位置において光軸５２と整合する位置に貫通形成された第２の光路５５と、第１の位置から（この実施例ではライトペンの後方に向かって）所定の角度（この実施例では６０°）回転した第３の位置において光軸５２と整合する位置に貫通形成された第３の光路５６を備えている。
そして、第２の光路５５には青色フィルター５７が取り付けられ、第３の光路５６には赤色フィルター５８または光拡散板が取り付けられている。
【００２３】
図５および図６（Ｂ）からわかるように、鏡筒１４には開口６０が形成され、回転体の操作部５３ｂの一部がこの開口６０から、鏡筒１４の外側に突出するようになっており、それによって、ライトペンの使用者が、ライトペンの外側から回転体５３を回転させて、ライトペンの照射光を簡単に切り替えることができるようになっている。
【００２４】
支持部５０および回転体５３の少なくとも一方には、回転体５３を第１の位置または第２の位置または第３の位置に選択的に位置決めするための位置決め機構が備えられている。この実施例では、位置決め機構は、図１〜図４の実施例の場合と同様のクリック・ストップ機構からなっている。この場合、図１〜図４の実施例の穴１６に対応する穴は、回転体５３に設けられ、この穴にコイルバネ１７とともに収容される金属製ボール１８を収容する凹部１９に対応する凹部は、支持部５０に設けられていることが好ましいが、これと逆の構成であってもよい。この実施例では、図６（Ｃ）に示されるように、ボール１８を収容する凹部５９は、支持部５０における支軸５９を中心とする円周を６等分する位置に形成されており、これによって、使用者は、ライトペンの外側から操作部５３ｂを操作し、回転体５３を、６０°毎に回転させて位置決めすることにより、所望の光路５４〜５６を選択し、照射光を切り替えるができる。
こうして、この実施例においても図１〜図４の実施例と同様の効果が得られる。
【００２５】
図７は、照射光調節機構のさらに別の実施例を示した図３に類似の図である。図７を参照して、この実施例では、照射光調節機構は、ライトペン本体１の一方の端面２の外側において、一方の端面２に対してスライド運動可能に配置されたスライド板４０と、一方の端面２に固定され、スライド板４０を案内するガイド４１と、ライトペン本体およびスライド板の少なくとも一方に設けられ、スライド板４０を所定のスライド位置に位置決めする位置決め機構とを備えている。
【００２６】
スライド板４０は、光照射窓を被覆するような寸法を有するとともに、光照射窓と整合する位置に形成された第１の孔４２と、第１の孔４２が光照射窓と重なり合う第１の位置（図７（Ａ）参照）から（この実施例では図の右側に向かって）所定の距離スライド運動した第２の位置（図７（Ｂ）参照）において光照射窓と整合する位置に形成された第２の孔４３と、第１の位置から（この実施例では図の左側に向かって）所定の距離スライド運動した第３の位置（図７（Ｃ）参照）において光照射窓と整合する位置に形成された第３の孔４４と、を備えている。
そして、スライド板４０の第２の孔４３には青色フィルターが取り付けられ、第３の孔４４には、赤色フィルターまたは光拡散板が取り付けられている。
この実施例では、位置決め機構は、図１〜図４に示された実施例と同様のクリック・ストップ機構、またはそれ以外の公知の適当な機構からなっている。
【００２７】
この実施例の場合、ライトペン本体の一方の端面２側に嵌め込み接続される鏡筒には、そのライトペン本体側端部の周壁に、スライド板４０におけるライトペン本体の外周から突出する部分を収容する開口が備えられる。
この実施例の場合にも、図１〜図４に示された実施例と同様の効果が得られることは言うまでもない。
【００２８】
【発明の効果】
以上のように、本発明によれば、照射光調節機構を調節し、光照射窓からの照射光をそのまま通過させ、またはその照射光にフィルターをかけ、またはその照射光の光量を低減させることにより、１本のライトペンから、複数種類の照射光を照射することができる。
そして、本発明を眼科用ライトペンとして構成した場合には、患部の自然な状態での観察のための白色光または自然色光、および患部の蛍光液を用いた観察のための青色光または眼位・視野検査のための赤色光または固視の移動のための光を選択的に照射することができる。したがって、眼科医は、単一のライトペンを用いて、簡便に患部の観察を行うことができる。
【図面の簡単な説明】
【図１】本発明の１実施例によるライトペンの側面図である。
【図２】図１のＸ−Ｘ線に沿った断面図である。
【図３】図１のＹ−Ｙ線に沿った断面図である。
【図４】図１のライトペンの回転板の取り付け構造を示す拡大断面図である。
【図５】本発明の別の実施例によるライトペンの先端部の側面図である。
【図６】図５のライトペン先端部の内部構造を示した図であり、（Ａ）はライトペン先端部の周壁が取り除かれた状態の側面図であり、（Ｂ）は（Ａ）のＺ−Ｚ線に沿った断面図であり、（Ｃ）はクリック・ストップ機構の一部を構成する凹部の位置を示した図である。
【図７】照射光調節機構のさらに別の実施例を示した図３に類似の図である。
【符号の説明】
１  ライトペン本体
２  一方の端面
３  光照射窓
４  ＬＥＤ
５  乾電池
６  回路基板
７  昇圧回路
８  ボタンスイッチ
９  支軸
１０  回転板
１１〜１３  孔
１４  鏡筒
１５  集光レンズ
１６  穴
１７  コイルバネ
１８  ボール
１９  凹部
【図１】
2004283218.tif 000003
【図２】
2004283218.tif 000004
【図３】
2004283218.tif 000005
【図４】
2004283218.tif 000006
【図５】
2004283218.tif 000007
【図６】
2004283218.tif 000008
【図７】
2004283218.tif 000009